(57)【特許請求の範囲】
【請求項１】
炊飯用の内鍋と、内鍋内の上部にセットされる調理容器と、内鍋の底部を加熱する第１の加熱手段と、内鍋の側部を加熱する第２の加熱手段と、内鍋の上部を加熱する第３の加熱手段と、第１〜第３の加熱手段の内鍋に対する加熱量を制御する加熱量制御手段とを備え、内鍋を使用したご飯の炊飯と内鍋を使用したご飯の炊飯に加えて調理容器を使用した調理をご飯の炊飯工程を利用して同時に行う同時調理炊飯を行えるようにしてなる電気炊飯器であって、同時調理炊飯を行う場合には、ご飯のみの炊飯を行う場合と異なって、吸水終了後、沸騰維持工程に至る昇温工程を、昇温を開始してから蒸気が出始めるまでの第１の昇温工程と第１の昇温工程を経て蒸気が出始めてから沸騰が始まるまでの第２の昇温工程との２つの昇温工程に分割し、第２の昇温工程の加熱量を第１の昇温工程の加熱量よりも小さくするとともに、沸騰維持工程における第１の加熱手段の加熱量を第２の昇温工程における加熱量よりも小さくする一方、第３の加熱手段の加熱量を大きくし、また炊き上げ工程における第１、第３の加熱手段の加熱量を大きくし、さらに蒸らし工程における第１〜第３の加熱手段の加熱量を大きくしたことを特徴とする電気炊飯器。
【請求項２】
炊飯工程に応じて第１〜第３の内鍋加熱手段の内鍋に対する加熱量を制御する加熱量制御手段が、内鍋のみを使用したご飯の炊飯制御シーケンスに加えて、内鍋と調理容器の両方を使用した同時調理炊飯用の炊飯制御シーケンスを備えて構成されていることを特徴とする請求項１記載の電気炊飯器。
【発明の詳細な説明】
【技術分野】
【０００１】
この出願の発明は、調理容器を備え、ご飯のみの炊飯に加えて、ご飯を炊き上げると同時に料理の調理をも行えるようにした電気炊飯器の構成に関するものである。
【背景技術】
【０００２】
最近では、炊飯時における内鍋内の蒸気等の熱を有効に利用して、ご飯を炊くと同時に蒸し料理などの調理を行えるようにした電気炊飯器が提案されている（特許文献１、特許文献２を参照）。
【０００３】
この種の電気炊飯器では、たとえば炊飯用の内鍋と、該内鍋内の上部にセットされる調理容器と、上記内鍋を加熱する内鍋加熱手段と、該内鍋加熱手段の内鍋に対する加熱量を制御する加熱量制御手段とを備え、上記内鍋を使用したご飯の炊飯と上記内鍋を使用したご飯の炊飯に加えて、上記調理容器を使用した調理を上記ご飯の炊飯に伴う炊飯工程を利用して同時に行えるように構成されており、ご飯を炊き上げると同時に料理（おかず）の調理をも行えることから、独身者などに重宝されている。
【先行技術文献】
【特許文献】
【０００４】
【特許文献１】特開２０１２−１８３２２３号公報
【特許文献２】特開２０１４−４６７号公報
【発明の概要】
【発明が解決しようとする課題】
【０００５】
ところが、これまでのものでは、上記内鍋を使用したご飯の炊飯と上記調理容器を使用した調理を同時に行う場合にも、その加熱量制御シーケンスしては、たとえば白米コース等ご飯の炊飯のみの制御シーケンスをそのまま使用して行っており、工程によっては、炊飯及び調理共に加熱量が不足する問題があった。
【０００６】
たとえば炊飯工程最後の蒸らし工程では、炊き上げから炊き上げ検知にいたるまでの加熱手段の加熱量が大きく低減され、内鍋への加熱量自体が相当に小さくなる。したがって、この段階で、未だ調理容器内の調理物の調理が完了していないとすると、当該調理物への加熱量が不足し、適正な調理が不可能になる。
【０００７】
また、同時調理の場合、炊飯のみの場合に比べて、調理物に加熱量を取られるので、ご飯に対する加熱量も不足し、良好なむらし性能を確保することができない。特に調理物が冷凍食材のような場合には、吸熱量が大きいので同問題が顕著となる。
【０００８】
また、内鍋内の上部に調理容器があるために、ご飯から出る蒸気を有効に内鍋外に排出することができず、ご飯への露付きや白ボケを生じる問題がある。
【０００９】
さらに、調理容器を使用した同時調理では炊飯時における内鍋内の蒸気を利用して行うため、炊き上げに至るまでに十分な量の蒸気を得ることが必要である。
【００１０】
本願発明は、以上のような問題を解決するためになされたもので、ご飯の炊飯と調理を同時に行う場合には、吸水終了後、沸騰維持工程に至る昇温工程を、昇温を開始してから蒸気が出始めるまでの第１の昇温工程と第１の昇温工程を経て蒸気が出始めてから沸騰が始まるまでの第２の昇温工程との２つの昇温工程に分割し、第２の昇温工程の加熱量を第１の昇温工程の加熱量よりも小さくすることによって、蒸気の発生量を調節しながら時間をかけて十分な沸騰状態に移行させ、ご飯のみの炊飯の場合に比べて蒸気発生時間を長くすると共に、炊き上げ工程以降の炊飯工程において、ご飯のみの炊飯を行う場合に比べて必要な加熱量を大きくすることによって、ご飯および調理物共に加熱不足のない確実な同時調理炊飯を行えるようにした電気炊飯器を提供することを目的とするものである。
【課題を解決するための手段】
【００１１】
本願発明は、上記の目的を達成するために、次のような課題解決手段を備えて構成されている。
【００１２】
（１）請求項１の発明の課題解決手段
この発明の課題解決手段では、炊飯用の内鍋と、内鍋内の上部にセットされる調理容器と、内鍋の底部を加熱する第１の加熱手段と、内鍋の側部を加熱する第２の加熱手段と、内鍋の上部を加熱する第３の加熱手段と、第１〜第３の内鍋加熱手段の内鍋に対する加熱量を制御する加熱量制御手段とを備え、内鍋を使用したご飯の炊飯と内鍋を使用したご飯の炊飯に加えて調理容器を使用した調理をご飯の炊飯工程を利用して同時に行う同時調理炊飯を行えるようにしてなる電気炊飯器であって、同時調理炊飯を行う場合には、ご飯のみの炊飯を行う場合と異なって、吸水終了後、沸騰維持工程に至る昇温工程を、昇温を開始してから蒸気が出始めるまでの第１の昇温工程と第１の昇温工程を経て蒸気が出始めてから沸騰が始まるまでの第２の昇温工程との２つの昇温工程に分割し、第２の昇温工程の加熱量を第１の昇温工程の加熱量よりも小さくするとともに、沸騰維持工程における第１の加熱手段の加熱量を第２の昇温工程における加熱量よりも小さくする一方、第３の加熱手段の加熱量を大きくし、また炊き上げ工程における第１、第３の加熱手段の加熱量を大きくし、さらに蒸らし工程における第１〜第３の加熱手段の加熱量を大きくしている。
【００１３】
ご飯の炊飯のみを行う通常の炊飯制御の場合、吸水工程の終了から沸騰維持工程に至る昇温工程では、フルパワーの大きな加熱量で蒸気が出始めるようになるまで速やかに昇温させ、同蒸気が出始めことを基準として沸騰と検知し、その後、沸騰維持工程に移行して所定時間内十分な沸騰状態を維持させるようになっている。つまり、沸騰検知は、昇温工程おいて１回行われるだけであり、同１回の沸騰が検知されると、当該昇温工程を終了して、次の沸騰維持工程に移行する。したがって、昇温工程は１段階であり、その間は全く同一の加熱量（フルパワー）で加熱される。
【００１４】
しかし、上記沸騰検知（昇温工程終了）までの時間は、炊かれるご飯が、白米炊飯か、雑穀および炊き込みご飯かによって、また調理物が冷凍食材であるか否かなどによって大きく変動し、両者の兼ね合いに応じた適切な量の蒸気の発生量を基準とした沸騰検知（フルパワーでの昇温加熱終了）は難しく、どうしても加熱のし過ぎや加熱量、蒸気量の不足を招来する。
【００１５】
そこで、上記内鍋を使用したご飯の炊飯と上記調理容器を使用した調理とを同時に行う場合には、その昇温工程における沸騰検知を、蒸気が出始めたことを検知する第１回目の沸騰検知と、該第１回目の沸騰検知に続いて沸騰状態になったことを検知する第２回目の沸騰検知との２回行うようにすると、加熱量制御を行う昇温工程を、昇温を開始してから蒸気が出始めるまでの第１の昇温工程と第１の昇温工程を経て蒸気が出始めてから沸騰が始まるまでの第２の昇温工程との２つの昇温工程に分割することができ、吸水工程の終了から第１回目の沸騰検知までの第１の昇温工程では、通常のご飯のみの炊飯時の場合と同様にフルパワー等の十分に大きな加熱量で蒸気が出るようになるまで速やかに昇温させる一方、その後、蒸気が出始めてから略完全な沸騰状態になるまでの第２の昇温工程では、少し加熱量を小さくするなどして、蒸気の発生量を調節しながら、時間をかけて沸騰状態まで移行させることによって、ご飯だけの炊飯の場合に比べて完全な沸騰状態に至るまでの実質的な加熱時間を長くすることができる。そして、それによって必要な加熱量、十分な蒸気発生量を確保することによって、ご飯および調理物共に加熱不足のない同時調理炊飯を可能とすることができる。
【００１６】
したがって、ご飯が雑穀ご飯や炊き込みご飯である場合、調理物が冷凍食材である場合にも、必要な加熱量が有効に確保され、調理容器内にも十分な量の加熱蒸気が供給されて調理物が十分に加熱されるようになる。
【００１７】
また、以上の構成では、そのような同時調理炊飯の場合、ご飯のみの炊飯の場合と異なって、完全な沸騰状態に移行し、調理容器内にも十分な蒸気が充満するようになった沸騰維持工程において、内鍋の底部を加熱する第１の加熱手段の加熱量が上記第２の昇温工程における加熱量よりも小さく制御される一方、内鍋の上部を加熱する第３の加熱手段の加熱量が大きく制御されるようになっている。
その結果、十分な蒸気の発生状態がより長く維持されるようになり、調理容器内の調理物は、十分な量の蒸気によって調理されると共に、さらに上部側の第３の加熱手段からの大きな加熱量で有効に加熱される。
【００１８】
したがって、調理物が、蒸気の冷気化や凝縮を招く冷凍食材などの冷温物であった場合や炊き上げるご飯が雑穀米、炊き込みご飯などの白米に比べて大きな加熱量を必要とするものであった場合にも、適切な蒸気量、適切な加熱量での調理および炊飯が可能となる。
また、以上の構成では、そのような同時調理炊飯の場合、炊き上げ工程においては、ご飯のみの炊飯の場合に比べて、内鍋の底部を加熱する第１の加熱手段、内鍋の上部を加熱する第３の加熱手段の加熱量がそれぞれ大きく制御される。その結果、上述した内鍋上部の調理容器内の調理物の有効な加熱状態を維持しながら、さらに内鍋内のご飯の底部および上部の加熱量を増大させて米の有効なアルファー化を図ることができる。
さらに、以上の構成では、そのような同時調理炊飯の場合、炊き上げ検知後の蒸らし工程においては、ご飯のみの炊飯の場合に比べて、第１〜第３の各加熱手段の加熱量が共に大きく制御される。
【００１９】
ご飯のみの炊飯の場合、内鍋内の水が減少する炊き上げ工程では、第２、第３の加熱手段はともかく、お焦げの発生を回避するために内鍋の底部を加熱する第１の加熱手段の加熱量が低減されるので、内鍋への加熱量自体が相当に小さくなる。したがって、同時調理炊飯の場合にそのような制御を採用すると、炊飯工程最後の蒸らし工程で、未だ調理容器内の調理物の調理が完了していないとすると、当該調理物への加熱量が不足し、適正な調理が不可能になる。
【００２０】
また、ご飯のみの炊飯の場合に比べて、同時調理炊飯の場合には、調理物に加熱量を取られるので、ご飯に対する加熱量も不足し、良好なむらし性能を確保することができなくなる。
【００２１】
しかも、調理容器があるために、ご飯から出る蒸気を有効に内鍋外に排出することができず、ご飯への露付きや白ボケを生じる問題がある。
【００２２】
このため、同時調理炊飯における蒸らし工程では、ご飯のみの炊飯の場合に比べて、第１〜第３の各加熱手段の加熱量を共に大きく制御して内鍋全体の加熱量を大きくすることにより、それらの問題を解消する。その結果、ご飯と調理物のそれぞれを共に美味しく仕上げることができる。
（２）請求項２の発明の課題解決手段
この発明の課題解決手段では、上記請求項１の発明の課題解決手段において、炊飯工程に応じて第１〜第３の内鍋加熱手段の内鍋に対する加熱量を制御する加熱量制御手段が、内鍋のみを使用したご飯の炊飯制御シーケンスに加えて、内鍋と調理容器の両方を使用した同時調理炊飯用の炊飯制御シーケンスを備えて構成されている。
【００２３】
このような構成によれば、予め設定されている炊飯メニューとして、ご飯のみの炊飯メニューを選べば、ご飯のみの適切な炊飯工程が実行される一方、同時調理メニューを選べば、自動的に同時調理用の炊飯制御シーケンスにより内鍋を使用したご飯の炊飯と調理容器を使用した調理を同時に行う同時調理炊飯が実行され、ご飯と調理物のそれぞれを共に美味しく仕上げることができる。
【発明の効果】
【００２４】
以上の結果、本願発明によると、内鍋を使用した炊飯と調理容器を使用した調理を同時に行う同時調理が、十分な蒸気量によって、簡単かつ適切に実行され、しかも同時調理特有の理由から必要とされる所定の炊飯工程においては、炊飯のみの場合よりも加熱量が大きくなるように制御される。
【００２５】
したがって、ご飯と調理物のそれぞれを共に美味しく仕上げることができる。
【図面の簡単な説明】
【００２６】
【図１】本願発明の実施の形態に係る電気炊飯器本体の構成を示す断面図である。
【図２】同電気炊飯器本体の平面図である。
【図３】同電気炊飯器において使用される調理容器（蒸し器）の構成を示す断面図である。
【図４】同電気炊飯器における制御回路部分の構成を示すブロック図である。
【図５】同電気炊飯器における通常の白米炊飯用の炊飯制御シーケンスを示すフローチャートである。
【図６】同電気炊飯器における通常の白米炊飯用の炊飯制御シーケンスを示すタイムチャートである。
【図７】同電気炊飯器における同時調理炊飯専用の炊飯制御シーケンスを示すフローチャートである。
【図８】同電気炊飯器における同時調理炊飯専用の炊飯制御シーケンスを示すタイムチャートである。
【発明を実施するための形態】
【００２７】
図１〜図８は、本願発明の実施の形態に係る調理容器を備えた電気炊飯器の構成及びその制御内容を示している。
【００２８】
まず図１、図２は、本願発明の実施の形態に係る調理容器を備えた電気炊飯器の炊飯器本体部分の構成を、また図３は、同電気炊飯器において使用される調理容器部分の構成を、また図４は、同電気炊飯器本体内部の制御回路部分の構成を、また図５は、同電気炊飯器における通常の白米炊飯用の炊飯制御シーケンスのフローチャートを、また図６は、同電気炊飯器における通常の白米炊飯用の炊飯制御シーケンスのタイムチャートを、また図７は、同電気炊飯器における同時調理炊飯専用の炊飯制御シーケンスのフローチャートを、さらに図８は、同電気炊飯器における同時調理炊飯専用の炊飯制御シーケンスのタイムチャートを、それぞれ詳細に示している。
【００２９】
（電気炊飯器本体部分の構成）
すなわち、本願発明の実施の形態に係る電気炊飯器は、炊飯用の内鍋１と、該内鍋１を任意に収納セットし得るように構成された有底筒状の内ケース２と、該内ケース２を保持する筺体である有底筒状の外ケース３と、該外ケース３と上記内ケース２とを底部材４および肩部材５を介して一体化して形成された炊飯器本体６と、該炊飯器本体６の上部側開口部に対して開閉可能に設けられた蓋体７とから構成されている。
【００３０】
そして、この実施の形態の場合、上記内鍋１としては、例えば誘導発熱が可能で、熱伝導性が良い金属部材よりなるものが採用されている一方、該内鍋１に対する炊飯用の加熱手段として、上記内ケース２の底部２ａ側にあって、上記内鍋１の底部１ａの下面（平面）および側面（アール面）に対向する電磁誘導加熱用の第１のIHコイル（ワークコイル）C1、第２のIHコイル（ワークコイル）C2が設けられている。
【００３１】
また、上記内鍋１に対する保温用の加熱手段として、上記内ケース２の側壁部２ｂ外周部分に位置して、上記内鍋１の側部１ｂの全周をカバーする側面ヒータＨ１が設けられている。
【００３２】
さらに、これらに加えて、上記蓋体７の放熱板７４部分には、上記炊飯および保温時に内蓋７５を介して内鍋１の上方部を加熱する蓋ヒータH2が設けられている。
【００３３】
そして、これら第１、第２のIHコイルC1、C2、側面ヒータＨ１、蓋ヒータＨ２を後述するマイコン式の炊飯制御ユニット２０（図４参照）により適切に駆動制御することによって、適切な各種炊飯機能、同時調理炊飯機能、調理機能、保温機能等を実現することができるようになっている。
【００３４】
上記内ケース２の底部２ａの下方には、底部材４上に支持され、かつフェライトコア９を備えたコイル台１０が設けられており、該コイル台１０によりフェライトコア９を介して、上記第１、第２のIHコイルC1、C2が上記内ケース２の底部下面部分に支持されている。このコイル台１０の中央部には、上下方向に同心状に貫通した温度センサ収納空間１１が形成されており、該温度センサ収納空間１１中に上下方向に昇降自在な状態で、かつ常時コイルスプリングにより上方に上昇付勢された状態で内鍋底部１aの温度を検知する温度センサ（底センサ）１２が設けられている。
【００３５】
一方、蓋体７は、その器体を構成する合成樹脂製の上カバー７１と、該上カバー７１の下方に蒸気ユニット７２および内枠７３を介して設けられた金属製の放熱板７４とを備えて構成されている。そして、放熱板７４の上面側には、放熱板７４を加熱するための上記蓋ヒータH2が設けられている。
【００３６】
また、符号７５は、パッキン７６を介して、上記内枠７３の外周部に着脱可能に取り付けられた内蓋であり、上記パッキン７６の下部側リブを介して、上記内鍋１の上端側開口縁部（半径方向外方に伸びたフランジ部）１ｃの上面に当接されるようになっており、蓋体７を閉めた状態における内鍋１とのシール機能を果たすようになっている。
【００３７】
蓋体７は、上記炊飯器本体６上部の肩部材５の後端部に対してヒンジ機構７７を介して回動自在に取付けられており、その開放端側（前端部正面）には、上記炊飯器本体６側肩部材５の係合部に係合して当該蓋体７の上下方向への開放を阻止するロック片を備えたロック機構７８が設けられている。
【００３８】
一方、この実施の形態の電気炊飯器の場合、たとえば白米炊飯、玄米炊飯、炊き込み・おこわ、おかゆ、極うま、早炊き、エコ炊き、調理、同時調理炊飯、ケーキ、洗浄の各種機能が設けられており、これら各機能に対する操作入力スイッチが１９a〜１９ｋが上記蓋体７の前部側上面の操作パネル部１３に設けられている。
【００３９】
したがって、それら各機能の選択設定は、同操作パネル部１３に設けられた各種入力スイッチ１９a〜１９ｋの操作により行われ、その設定内容に応じて、上記第１、第２のIHコイルC1、C2、保温ヒ−タＨ１、蓋ヒータＨ２の加熱量が適切に制御されるようになっている。
【００４０】
また、同操作パネル部１３の後部側位置には、上記各機能の選択設定状態や、現在時刻、炊飯完了までの残時間その他の必要な事項を表示する液晶パネル等よりなる表示部１４が設けられている。
【００４１】
この実施の形態の場合、上記各種入力スイッチ１９a〜１９ｋの操作キーや表示部１４の表示面部は、ユーザーが当該電気炊飯器の傍にいない非操作状態では消灯状態にコントロールされており、蓋体７の表面には何も表示されないマスキング状態となっているが、蓋体７の前端部分には、図示のように人感センサMSが設けられており、この人感センサMSがユーザーの接近を検知した時には、図２に示すように、各種入力スイッチ１９a〜１９ｋの操作キーおよび表示部１４の表示面を点灯させて、操作可能とするようになっている。
【００４２】
（調理容器部分の構成）
一方、図１中における符号１５が調理容器であり、この調理容器１５は、たとえば内鍋１からの蒸気を利用した蒸し料理に適したものに構成されており、図２のように、底壁部１５a、側壁部１５ｂ、開口部１５ｃよりなる比較的底の浅い容器本体１５Aと、該容器本体１５Aの開口部１５ｃの外周にあって、同開口部１５ｃとの間に所定の幅の蒸気流通空間１５ｄを保って設けられた内鍋開口部１ｃへの係合縁部１５eを有する係合部１５Bとから構成されており、周方向の複数カ所で相互に連結されて一体化されている。この調理容器は、当然ながら全体として耐熱性の高い材料により形成されている。
【００４３】
そして、同時調理炊飯を行う場合には、上記係合部１５Bの係合縁部１５eを上記内鍋１の開口部１ｃの内側に係合することにより、図１に示すように、上記内鍋１内の上部（ご飯の上部）にセットされる。このように調理容器１５がセットされた状態で、炊飯が行われると、内鍋１内の水が沸騰して蒸気を発生し、この蒸気が上記調理容器１５の容器本体１５Aと係合部１５Bとの間の蒸気流通空間１５ｄを通って、容器本体１５A内に入り込み、容器本体１５A内の調理物Xを蒸し調理することになる。
【００４４】
そして、容器本体１５A内の蒸気は、さらに上記蓋体７側の上記ユニット７２を有する蒸気排出流路７９を通して外部に排出される。
【００４５】
この蒸気排出流路７９の上部には、上記内鍋１の中心軸部分に位置して、図示のように蒸気温度検知部１６aを下方に露出させた状態で、蒸気センサ１６が設けられており、通常の炊飯時において上記内鍋１内から上昇する蒸気の温度および同時調理炊飯時において上記調理容器１５内から上昇する蒸気の温度をそれぞれ応答性良く検出するようになっている。
【００４６】
このような構成の場合、調理容器１５が無い通常の炊飯時における内鍋１内の沸騰はもちろんのこと、調理容器１５がセットされている同時調理炊飯時においても、調理容器１５内の調理物Xの温度を正確に、かつ応答性良く検出することができる。
【００４７】
したがって、たとえば調理容器１５内の調理物Xが冷凍食品であるような場合には、内鍋１側から調理容器１５内に入ってきた蒸気が調理物Xによって冷やされ、冷気となるため、沸騰検知が遅くなり、それによって、調理物Xが冷凍食品である場合と、調理済みの食品である場合との区別、それらに基づく調理物の有無の判定、調理物の状態に応じた炊飯制御シーケンスの変更、冷凍食品の蒸気による解凍などが可能となる。
【００４８】
なお、上記調理容器１５は、ご飯の炊飯と調理のみに使用されるものではなく、例えば内鍋１で煮込み料理、調理容器１５でおかずを作る場合などにも利用される。
【００４９】
（炊飯制御回路部分の構成）
この実施の形態の電気炊飯器における炊飯制御回路は、図４のように構成されている。
すなわち、図４において、符号２０は、マイクロコンピュータにより構成された炊飯制御ユニットであり、該炊飯制御ユニット２０には、前述した各種入力スイッチ１９a〜１９ｋの操作設定入力、内鍋底部の温度を検知する温度センサ１２の検知温度、蒸気温度を検知する蒸気センサ１６の検知温度を入力して、設定された炊飯、同時調理炊飯、保温等所望のメニューに応じた炊飯、同時調理炊飯、保温制御を行ない、前述した第１、第２のIHコイルC1、C2、保温ヒータH1、蓋ヒータH2の出力を調整する。また、上記表示部１４の表示状態を制御し、必要に応じて音声等報知部２１を駆動して音声等の報知を行う。
（通常の白米炊飯時の炊飯制御シーケンス）
次に、図５は、この発明の実施の形態の上記電気炊飯器における通常の白米炊飯制御の場合の炊飯制御シーケンスを示すフローチャート、図６は、同フローチャートに対応するタイムチャートである。この炊飯制御シーケンスについての以下の説明では、当該電気炊飯器に対するAC電源がONで、炊飯メニューとして、たとえば「白米（ふつう）」が選択設定され、上記内鍋１内に上述した調理容器１５はセットされていないものとして話を進める。  
【００５０】
すなわち、同状態で、図２に示す白米炊飯スイッチ１９aが押されると、ご飯のみを炊く通常の白米（ふつう）の炊飯制御が開始され、まず吸水工程が実行される（ステップS1）。この吸水工程では、上記内鍋１底部の温度センサ１２により検知される検知温度が、図６のタイムチャートの特性に示す目標吸水温度（たとえば４０℃）になるように、予め吸水タイマーにより設定された所定の吸水時間内、上記第１、第２のIHコイルC1、C2の出力を７０％、デューティ−比を６〜１４、側面ヒータH１のデューティ−比を０〜８、蓋ヒータH２のデューティ−比を０に設定して、温調制御する。
【００５１】
次に、同予め設定された吸水時間が経過すると、続いて昇温工程に進んで、加熱量を大きくし、沸騰検知温度T1まで速やかに昇温させる（ステップS２）。この実施の形態の場合、たとえば図６のタイムチャートに示されるように、同昇温工程では、上述した蒸気センサ１６により内鍋１内の水が沸騰を始めたことが検知されるまでの間（沸騰検知温度T1に達するまでの間）、上記第１、第２のIHコイルC1、C2の出力をフルパワー９０％（定格出力の９０％、以下同じ）、デューティ−比を８〜１６、側面ヒータH１のデューティ−比を０〜８、蓋ヒータH２のデューティ−比を０に制御して、内鍋１の温度を速やかに沸騰検知温度T1まで上昇させる。
【００５２】
そして、同昇温工程では、上記蒸気センサ１６により内鍋１から出る蒸気の温度を周期的に検知し、検知された蒸気の温度が沸騰検知温度（完全な沸騰状態になる１００℃よりも少し低い蒸気が出始めた時の温度）T1になったか否かの判定を行う（ステップS3）。
【００５３】
そして、同沸騰開始状態になったことが検知されると、当該昇温工程を終了して沸騰維持工程に進む（ステップS３）。この沸騰維持工程では、図６のタイムチャートに示すように、上記第１、第２のIHコイルC1、C2の出力を上記昇温工程に比べてやや低い出力８０％に低下させる一方、デューティ−比を６〜１４、側面ヒータH１のデューティ−比を０〜８、蓋ヒータH２のデューティ−比を０〜８に制御して、内鍋１内を予め沸騰維持タイマーにより設定された一定の時間内沸騰状態に維持し、対流状態において吸水後の米に十分に熱を通す。
【００５４】
その後、当該一定の沸騰維持時間が経過したか否かを判定し、一定の沸騰維持時間が経過した場合には、さらに炊き上げ工程に進み、上記第１、第２のIHコイルC1、C2の出力を７０％、デューティ−比を３〜９、側面ヒータH１のデューティ−比を４〜１２、蓋ヒータH２のデューティ−比を８〜１４に制御して、内鍋１の底部および側部からだけでなく、上部からも十分に加熱して、効率良くご飯を炊き上げる（ステップS４）。
【００５５】
この結果、次第に水分が少なくなってきた内鍋１内の飯米の上層部及び内鍋１の開口縁部、内蓋７５部分も有効に加熱されて、内鍋１の開口縁部や内蓋７５部分への露付きも防止される。
【００５６】
その後、当該炊き上げ工程の後半においては、たとえば上記温度センサ１２により検知される上記内鍋１底部の検知温度が予め設定されている炊き上げ検知温度（例えば１３０℃）以上になったか否かにより炊き上げ検知を行う。そして、その結果、炊き上がり状態（１３０℃以上）と判定されると、次に蒸らし工程に進んで、炊き上がったご飯の蒸らしを行う（ステップS５〜S９）。
【００５７】
この実施の形態の場合、同「蒸らし工程」は、例えば、上記炊き上げ検知温度（１３０℃）から余熱を利用して緩やかに温度を下げ、内鍋１内を可能な限り高温状態に維持することによって、ご飯中に残っている余分な水分を速やかに飛ばすとともに、ご飯の甘みを高める「蒸らし１（高温蒸らし）」と、残された余分な水分を飛ばすとともに、内鍋１の開口縁部や内蓋７５部分の露付き、それによるご飯の白ボケを防止しながら、ご飯の甘みをも高める「蒸らし２」と、高温状態を続けすぎると、ご飯中の水分は飛び、甘みは高くなるが、ご飯の外周部が焦げてくるので、「蒸らし１」、「蒸らし２」よりは温度を下げて、焦げの発生を回避し、かつ必要な水分を保持させながら蒸し上げて、最終的に保温状態に移行させる「蒸らし３」の３つの蒸らし工程により構成されている。
【００５８】
そして、このような作用を実現するために、まず「蒸らし１」では、一定の蒸らし時間を設定するとともに、上記第１、第２のIHコイルC1、C2の出力を７０％、デューティ−比を０〜６として、「炊き上げ」時に比べて内鍋底部からの加熱量は小さくするものの、側面ヒータH１のデューティ−比を「炊き上げ」時と同じ４〜１２、蓋ヒータH２のデューティ−比を「炊き上げ」時と同じ８〜１４に制御して、高温である炊き上げ検知温度（１３０℃）から緩やかに温度を下げる高温での蒸らし状態を実現する。
【００５９】
これにより、炊き上げ後のご飯中の余分な水分が効率良く飛ばされるとともに、高温状態で効率良くご飯の甘みが増進される。
【００６０】
次に、同「蒸らし１」の蒸らし時間に対応した一定の時間が経過したか否かを判定する（ステップS6）。その結果、YESと判定されると、続いて「蒸らし２」に進む（ステップS７）。
【００６１】
「蒸らし２」では、「蒸らし１」と同じく、上記第１、第２のIHコイルC1、C2の出力を７０％、デューティ−比を０〜６、側面ヒータH１のデューティ−比を４〜１２、蓋ヒータH２のデューティ−比を８〜１４に制御して、「蒸らし１」の終了温度（１１０℃弱）から緩やかに温度を下げる中温での蒸らし状態を実現する。
【００６２】
これにより、ご飯中の残された余分な水分が飛ばされるとともに、焦げ付きを生じることなく、内鍋１の開口縁部や内蓋７５部分の露付き、それによるご飯の白ボケを防止しながら、ご飯の甘みをも高めることができる。
【００６３】
次に、同「蒸らし２」の蒸らし時間に対応した一定の時間が経過したか否かを判定する（ステップS８）。その結果、YESと判定されると、続いて「蒸らし３」に進む（ステップS９）。
【００６４】
「蒸らし３」では、「蒸らし１」、「蒸らし２」と同じく、上記第１、第２のIHコイルC1、C2の出力を７０％とするが、デューティ−比を０〜４として少し下げ、内鍋底部からの加熱量をより小さくするものの、側面ヒータH１のデューティ−比は「蒸らし１」、「蒸らし２」と同じ４〜１２、蓋ヒータH２のデューティ−比も「蒸らし１」、「蒸らし２」と同じ８〜１４に制御して、「蒸らし２」の終了温度（９５℃程度）から緩やかに温度を下げる沸騰温度付近での蒸らし状態を実現する。
【００６５】
これにより、焦げの発生を回避し、かつ必要な水分を保持させながら適切に蒸し上げて、最終的に所定の目標温度の保温状態にスムーズに移行させることができる。
【００６６】
このような蒸らし１〜蒸らし３工程によると、焦げ付きを生じさせることなく、高温状態での蒸らしにより甘みの強い、美味しいご飯が炊き上げられるとともに、内鍋や内蓋への露付きを生じさせることなく、効率良くご飯中の水分を飛ばすことができるので、ご飯の白ボケも発生しない。
【００６７】
そして、ステップS10で蒸らし３の一定の設定時間が経過したことが判定されると、当該炊飯制御を終了して、保温状態に移行する。
（同時調理炊飯時の炊飯制御シーケンス）
次に、図７は、この実施の形態の上記電気炊飯器において、白米炊飯制御と同時に、上記調理容器（蒸し器）１５を使用して蒸し料理等何らかの料理の調理を行う場合の同時調理炊飯制御シーケンスを示すフローチャートであり、図８は、同フローチャートの内容に対応したタイムチャートである。
【００６８】
白米炊飯制御と同時に、上記調理容器（蒸し器）１５を使用して蒸し料理等何らかの料理の調理を行う場合、上記図５および図６に示す通常の炊飯制御シーケンスをそのまま使用して行ったのでは、炊飯工程によっては加熱量が不足し、ご飯の炊き上げが不十分になるだけでなく、調理物Xの調理も不十分になる問題がある。
【００６９】
たとえば、上述した蒸らし工程（蒸らし１〜蒸らし３）の場合、できるだけ高温の状態に維持し、効率良く水分を飛ばすとともに、ご飯の甘みを増進するようにしているとは言え、焦げを生じさせないようにしなければならない。したがって、上述のように炊き上げ検知時点から相当に加熱量が低減され、内鍋１の温度も大きく低下する。
【００７０】
しかも、同時調理炊飯時には、調理物Xに相当量の熱量を取られる。そのため、ご飯への加熱量が不足して、炊飯時本来の良好なむらし性能を実現することができなくなる。また、その結果、この段階で、いまだ上記調理物Xの調理が完了していないとすると、調理物Xの加熱量自体も不足するので、良好な調理をも行なえないことになる。
【００７１】
さらに、蒸らし段階では、内鍋１の開口縁部１ｃや内蓋７５部分への露付きを防止して、ご飯の白ボケを回避しなければならない。しかるに、上述のように、内鍋１の上部に調理容器１５があると、ご飯から出る蒸気が調理容器１５で遮られ、その外周の幅の狭い蒸気流通空間１５ｄ部分を回って内蓋７５側に出てゆくだけであるので、蒸気を外部に排出しにくくなり、調理容器１５の下面や内鍋１の開口縁部、内蓋７５部分に露が付きやすく、より白ボケが発生しやすくなる。
【００７２】
図７のフローチャートおよび図８のタイムチャートに示す炊飯制御シーケンスは、このような問題を解決するために、ご飯のみを炊く通常の炊飯制御シーケンスとは別に、ご飯を炊くと同時に調理容器１５を使用して調理を行う同時調理炊飯制御専用の炊飯制御シーケンスとして構成されたもので、調理容器１５を使用して、内鍋１の加熱によるご飯の炊き上げと同時に蒸し料理等の内鍋１から出る蒸気を利用した調理を行う場合には、昇温工程から沸騰維持、炊き上げ、蒸らしに至る各工程、特に上記蒸らし工程（蒸らし１〜蒸らし３）における各加熱手段C1、C2、H1、H2の加熱量を所定の基準で通常の炊飯時よりも大きく設定することによって、上述した加熱不足の問題を解決するように構成されている。
【００７３】
この同時調理炊飯制御シーケンスは、当該電気炊飯器に対するAC電源がONの時に、上述した同時調理炊飯スイッチ１９iが押され、炊飯メニューとして「同時調理炊飯」が選択されると、実行可能となる。もちろん、この時には、当然ながら上記内鍋１内に上述した調理容器１５がセットされ、同調理容器１５内には蒸し料理等の必要な調理物Xが入れられているものとする。
【００７４】
いま、上記同時調理炊飯スイッチ１９iが押されたとすると、この実施の形態の場合、たとえば白米（ふつう）の炊飯制御をベースとする同時調理炊飯制御が開始され、まず吸水タイマーが設定され、同吸水タイマーにより設定された吸水時間内吸水工程が実行される（ステップS1）。この吸水工程では、上記温度センサ１２により検知される検知温度が、図８のタイムチャートの特性に示す目標吸水温度（たとえば４０℃程度）になるように、設定された所定の吸水時間内、たとえば上記第１、第２のIHコイルC1、C2の出力を７０％、デューティ−比を６〜１４、側面ヒータH１のデューティ−比を０〜８、蓋ヒータH２のデューティ−比を０〜８の範囲でコントロールし、内鍋１内の実際の水の温度が上記目標吸水温度になるように温調制御する。
【００７５】
次に、上記設定された吸水時間が経過すると、続いて昇温工程に進んで、加熱量を大きくし（フルパワー）、内鍋１内の水の温度を沸騰状態まで速やかに昇温させる（ステップS２）。
【００７６】
ところで、この実施の形態の場合、該昇温工程は、たとえば図８のタイムチャートに示されるように、上述した蒸気センサ１６の蒸気温度検出値を基に、第１、第２の相互に閾値を異にする沸騰検知温度T１、T２を用いて２回（２段階）の沸騰検知を行うことにより、吸水工程の終了から第２の閾値T２よりも低い第１の閾値T１による第１回目の沸騰検知までの昇温工程１と、該第１の閾値T１による第１回目の沸騰検知から同第１の閾値T１よりも高い第２の閾値T２による第２回目の沸騰検知までの昇温工程２との２つの工程により構成されている。
【００７７】
この場合、例えば上記第１の閾値T１が、上述した図６のタイムチャートに示す通常の白米炊飯制御シーケンにおける沸騰検知の閾値（蒸気が出始めるようになったことを示す値）に該当し、第２の閾値T２は、それよりも高い、内鍋１内から多量の蒸気が出るようになった沸騰状態を示す値となっている。
【００７８】
そして、上記吸水工程の終了から、上記第１の閾値T1による第１回目の沸騰検知に至るまでの昇温工程１では、上記第１、第２のIHコイルC1、C2の出力をフルパワー９０％、デューティ−比を８〜１６、側面ヒータH１のデューティ−比を０〜８、蓋ヒータH２のデューティ−比を０〜８に制御して、第１、第２のIHコイルC1、C２を中心として、内鍋１の温度を速やかに第１の沸騰検知温度T1まで上昇させる。
【００７９】
第１回目の沸騰検知に使用される第１の閾値T1は、上述のように通常の白米炊飯制御における蒸気センサ１６による沸騰検知の場合と同様に、上記内鍋１内から蒸気が出始めた沸騰開始時点の、完全な沸騰状態に至る手前のやや低い温度に設定されており、上記吸水工程の終了から該第１の閾値T１による第１回目の沸騰検知に至るまでの間は、上記第１、第２のIHコイルC1、C2の出力をフルパワー９０％、デューティ−比を８〜１６、側面ヒータH１のデューティ−比を０〜８、蓋ヒータH２のデューティ−比を０〜８に制御し、内鍋１の底部１aおよび側部１ｂを中心とした大きな加熱量で内鍋１内の蒸気温度を速やかに蒸気が出始める第１の沸騰検知温度T1まで上昇させる。
【００８０】
他方、同昇温工程１の終了から、上記第２の閾値T２による第２回目の沸騰検知に至るまでの昇温工程２では、上記第１、第２のIHコイルC1、C2の出力を昇温工程１のフルパワー９０％よりも少しダウンさせた高出力８０％、デューティ−比を８〜１６、側面ヒータH１のデューティ−比を０〜８、蓋ヒータH２のデューティ−比を０〜８に制御して、上記内鍋１内から十分な量の蒸気が発生し、上記調理容器１５内にも充満して、上記蒸気センサ１６の蒸気温度検出部１６a部分を流れる蒸気の温度が上記第２の沸騰検知温度T２になるまで、第１、第２のIHコイルC1、C2による加熱量を中心として十分に内鍋１を加熱する。
【００８１】
この結果、第２回目の沸騰検知がなされた段階では、内鍋１内の水を十分な沸騰状態に維持させることができ、内鍋１内から十分な量の蒸気を発生させることができるようになり、調理容器１５内にも十分な量の蒸気が流入するようになる。そして、上記蒸気センサ１６による第２回目の沸騰検知は、この確実な沸騰状態を検知することになる。
【００８２】
従来の内鍋底部の温度センサ１２を使用して沸騰検知を行うタイプの電気炊飯器では、内鍋底部の温度を基準として沸騰状態を判定していたが、その場合、実際の蒸気の発生状態が分からないため、正確な沸騰検知は不可能であった。そのため、そのような電気炊飯器で同時調理炊飯を行うと、調理物を必要以上に加熱してしまったり、逆に加熱不足を招いたりして、良好な調理ができなかった。
【００８３】
これに対し、上述のように蒸気センサ１６を使用して沸騰状態を検知するようにすると、正確に沸騰状態を検知することができるので、一応そのような問題は解決することができる。
【００８４】
しかし、上述した同時調理炊飯の場合には、例えば調理物Xに冷凍食材が用いられることもあり、またご飯も白米炊飯の場合に限らず、雑穀ご飯や炊き込みご飯の場合がある。調理物Xが冷凍食材の場合、内鍋１内で蒸気が発生し始めたとしても、同蒸気が調理容器１５内に入った時点で冷凍食材により冷却されて凝縮し、結露してしまう。
【００８５】
したがって、仮に蒸気センサ１６を用いたとしても、相当量の蒸気が発生するようにならないと、蒸気センサ１６が沸騰と検知することができない。また、ご飯側に比べて調理物X側の温度の上昇が遅れる。そのため、調理物Xの仕上がりが悪くなる。
【００８６】
さらに、白米ご飯の場合に比べて、雑穀ご飯や炊き込みご飯の場合には、白米ご飯に比べて大きい加熱量を必要とし、その分白米ご飯の場合に比べて蒸気の発生も遅くなる。
【００８７】
このような事情に対応し、この実施の形態の同時調理炊飯制御では、上記のように昇温工程において、第１、第２の２回の沸騰検知を行うようにし、第１回目では上記通常の白米水飯制御の場合と同様に、内鍋１から蒸気が出始めた時点のやや低い閾値温度T1で沸騰判定を行い、同温度T１になるまでは、上述のような高火力で加熱し、可能な限り速やかに蒸気が出始める温度まで加熱する。これが昇温工程１である。
【００８８】
この昇温工程１は、基本的に上述した図５、図６の白米炊飯制御における昇温工程に相当し、上記第１、第２のIHコイルC１、C２の出力およびデューティ−比、側面ヒータH１のデューティ−比、蓋ヒータH２のデューティ−比が、上述した通常の白米炊飯制御の場合と比較して、上記調理物Xの存在に対応して蓋ヒータH２のデューティ−比が０から０〜８にアップされているだけで、それ以外は通常の白米炊飯制御の場合と同じである。
【００８９】
しかし、一旦蒸気が出始めたことが検知された第１回目の沸騰検知から、十分な量の蒸気が出るようになる第２回目の沸騰検知までの昇温工程２では、第１、第２のIHコイルC１、C２の出力を９０％のフルパワー高出力から８０%の弱高出力（デューティ−比は同じ）に落として温調をかけ、発生する蒸気量を調節しながら最終的に完全な沸騰状態（第２回目の沸騰検知）となるまで加熱するようにしている。
【００９０】
このように第２回目の沸騰検知で完全な沸騰状態（１００℃の高温）になるまで加熱するようにすると、仮に炊飯しているご飯が雑穀米や炊き込みご飯である場合にも、十分に加熱して、しっかりと沸騰させることができる。また、白米のご飯の場合に比べて、昇温工程２における加熱時間を増やして（２回目の沸騰検知までの時間が長くなるので）、十分に内鍋１内の温度を上げ、調理物Xを十分に加熱することができる。
【００９１】
この結果、上記調理容器１５内の調理物Xが蒸気の冷気化や凝縮を招く冷凍食材などの冷温物であったり、炊き上げるご飯が雑穀米や炊き込みご飯などの白米に比べて大きな加熱量を必要とするものであった場合で、従来のように蒸気の出始めのみを基準として沸騰検知する第１回目の沸騰検知だけでは確実な沸騰検知を行なえないような場合にも、確実な加熱、確実な沸騰検知を行うことができるようになり、確実な炊き上げ、確実な調理を行なえるようになる。
【００９２】
また、第１回目の沸騰検知と第２回目の沸騰検知との間の検知レベルの差により、それらの間に発生する蒸気の量を調整することができることから、ご飯の種類、調理物の種類に応じた適切な昇温加熱、沸騰状態への移行が可能となる。
【００９３】
特に、第１回目の沸騰検知が終わった段階で、第１、第２のIHコイルC１、C２の出力を少し落としているので（９０％から８０％に）、実質的な沸騰時間の延長により調理物Xに対する十分な加熱を実現しながら、ご飯側の加熱しすぎをも防ぐことができ、調理物Xおよびご飯の何れに対しても良好な加熱状態を実現することができる。
【００９４】
以上のようにして、第２回目の沸騰状態が検知され、上記内鍋１内の水および米が確実に沸騰状態になると、続いて沸騰維持工程に進んで、一定の沸騰維持時間内当該沸騰状態を継続させる（ステップS３）。この沸騰維持工程では、上記第１、第２のＩＨコイルＣ1、Ｃ２の出力を上記昇温工程２の８０％よりも少し低い７５％、デューティ−比を上記昇温工程２の８〜１６よりも少し小さい６〜１４、側面ヒータＨ１のデューティ−比を上記昇温工程２と同じ０〜８、蓋ヒータＨ２のデューティ−比を上記昇温工程２の０〜８よりも十分に大きい１０〜１６に制御して、上記内鍋１上方部の加熱量の増大を図る。
【００９５】
その後、上記一定の沸騰維持時間が経過したか否かを判定し、一定の沸騰維持時間が経過した場合には、次に炊き上げ工程に進む（ステップS４）。
【００９６】
そして、この炊き上げ工程では、上記第１、第２のIHコイルC1、C2の出力を沸騰維持工程と同じ７５％、デューティ−比を沸騰維持工程よりも小さい３〜９、側面ヒータH１のデューティ−比を沸騰維持工程と同じ４〜１２、蓋ヒータH２のデューティ−比を沸騰維持工程と同じ１０〜１６に制御して、上記内鍋１の側部および上方部の加熱量の増大を図る。この結果、内鍋１の底部、側部、上方部分が有効に加熱されて、米のアルファー化が促進される。また、内鍋１内の水が次第に減少してゆく。
【００９７】
その後、殆ど水がなくなった上記炊き上げ工程の後半において、例えば上記温度センサ１２により検知される上記内鍋１底部の検知温度が予め設定されている炊き上げ検知温度（例えば１３０℃）以上になったか否かにより炊き上げ検知を行う。そして、その結果、炊き上がり状態（１３０℃以上）と判定されると、次に蒸らし工程に進んで、炊き上がったご飯の蒸らし制御が行われる。
【００９８】
この実施の形態の場合、該蒸らし工程は、たとえば上記高温の炊き上げ検知温度（１３０℃）から余熱を利用して緩やかに温度を下げ、内鍋１内を可能な限り高温状態に維持することによって、ご飯中に残っている余分な水分を速やかに飛ばすとともに、ご飯の甘みを高めるステップS５の「蒸らし１（高温蒸らし）」と、高温状態を続けすぎると、ご飯中の水分は飛び、甘みは高くなるが、ご飯の外周部が焦げるので、「蒸らし１」よりは温度を下げて、余分な水分を飛ばしながら、ご飯の甘みを高めるステップS７の「蒸らし２」、「蒸らし２」より温度を下げ、それまでより水分の蒸発量を下げて、必要な水分量を保持させながら、内鍋１の開口縁部や内蓋７５に露が付かないように適度な加熱量を維持して、目標とする保温温度に移行させるステップS９の「蒸らし３」の３つの蒸らし工程により構成されている。
【００９９】
そして、このような作用を、加熱不足になりやすい同時調理に際しても適切に実現するために、まずステップS５の「蒸らし１」では、上記第１、第２のIHコイルC1、C2の出力を白米炊飯時の７０％よりも大きい７５％、デューティ−比を白米炊飯時の０〜６よりも大きい２〜８、側面ヒータH１のデューティ−比を白米炊飯時の４〜１２よりも大きい６〜１４、蓋ヒータH２のデューティ−比を白米炊飯時の８〜１４よりも大きい１０〜１６に制御して、高温である炊き上げ検知温度（１３０℃）から緩やかに温度を下げる高温での蒸らし状態を実現する。この高温での蒸らし状態は、蒸らしタイマーにより設定された一定の蒸らし時間内継続される。
【０１００】
このように、第１、第２のIHコイルC1、C2の出力およびデューティ−比、並びに側面ヒータH1、蓋ヒータH2のデューティ−比をそれぞれ通常の炊飯時よりも十分に大きくすることにより、同時調理の場合にも、ご飯中に残っている余分な水分を速やかに飛ばすとともに、ご飯の甘みを高め、また、側面ヒータH1及び蓋ヒータH2からの加熱量を大きくすることによって、加熱する蒸気量が少なくなった調理物Xにも十分に熱を通す。
【０１０１】
そして、その後、上記蒸らしタイマーにより設定された一定の蒸らし時間が経過したか否かが判定される（ステップS６）。そして、同一定の蒸らし時間が経過したと判定されると、次に「蒸らし２」に進む（ステップS７）。
【０１０２】
「蒸らし２」では、上記「蒸らし１」と同じく、上記第１、第２のIHコイルC1、C2の出力を白米炊飯時の７０％よりも大きい７５％、デューティ−比を白米炊飯時の０〜６よりも大きい２〜８、側面ヒータH１のデューティ−比を白米炊飯時の４〜１２よりも大きい６〜１４、蓋ヒータH２のデューティ−比を白米炊飯時の８〜１４よりも大きい１０〜１６に制御して、上記「蒸らし１」の終了温度（１１０℃弱）から、さらに緩やかに温度を下げる中温での蒸らし状態を実現する。
【０１０３】
このように、「蒸らし１」に比べて或る程度内鍋１内の温度が低下し、ご飯中の水分が低下した「蒸らし２」でも、同時調理の場合には、「蒸らし１」と同様に第１、第２のIHコイルC1、C2の出力およびデューティ−比、並びに側面ヒータH1、蓋ヒータH2のデューティ−比をそれぞれ通常の炊飯時よりも十分に大きくすることにより、ご飯中に残っている余分な水分を飛ばすとともに、さらに、ご飯の甘みを高め、また、側面ヒータH1及び蓋ヒータH2からの加熱量を大きくすることによって、内蓋７５の下面や調理容器１５の下面に生じる露付きを防止するとともに、より加熱する蒸気量が少なくなった調理物Xに十分な熱を通す。
【０１０４】
その後、上記蒸らしタイマーにより設定された「蒸らし２」における一定の蒸らし時間が経過したか否かが判定される（ステップS８）。そして、同一定の蒸らし時間が経過したと判定されると、次に「蒸らし３」に進む（ステップS９）。
【０１０５】
「蒸らし３」では、「蒸らし１」、「蒸らし２」と同じく、上記第１、第２のIHコイルC1、C2の出力を白米炊飯時よりも大きい７５％とするが、他方デューティ−比を白米炊飯時と同じ０〜４として少し下げ、内鍋１底部側からの加熱量を小さくすることによって焦げの発生を回避する一方、側面ヒータH１のデューティ−比は白米炊飯時の４〜１２よりも大きい「蒸らし１」、「蒸らし２」と同じ６〜１４、蓋ヒータH２のデューティ−比も白米炊飯時の８〜１４よりも大きい「蒸らし１」、「蒸らし２」と同じ１０〜１６に制御して、「蒸らし２」の終了温度（たとえば９５℃程度）から沸騰温度以下まで温度を下げる蒸らし状態（ご飯の焦げ、露付き、白ボケを回避しながら保温温度へ移行）を実現する。
【０１０６】
このように、沸騰温度付近まで内鍋１内の温度が低下し、ご飯中の水分が大きく低下した「蒸らし３」の段階では、同時調理の場合にも、高温状態を続けすぎると、ご飯中の必要な水分まで飛んでしまい、しかもご飯の外周部が焦げる問題がある。
【０１０７】
したがって、「蒸らし１」、「蒸らし２」よりも第１、第２のIHコイルC1、C2による加熱量を下げて、ご飯の焦げを防止するとともに、必要な水分を保持させる。
【０１０８】
他方、「蒸らし１」、「蒸らし２」と同様に、側面ヒータH1、蓋ヒータH2のデューティ−比はそれぞれ通常の炊飯時よりも大きい状態にすることにより、加熱する蒸気量がなくなった調理物Xを側部および上方より効果的に加熱して加熱不足が生じないようにする。
【０１０９】
このような蒸らし工程によると、十分な加熱量による良好な調理を可能としながら、ご飯の焦げ付きを生じさせることなく、高温状態での蒸らしにより甘みの強い、美味しいご飯が炊き上げられるとともに、内鍋や内蓋への露付きを生じさせることなく、効率良くご飯中の水分を飛ばすことができ、ご飯の白ボケも発生しない。
【０１１０】
そして、上記最終工程である「蒸らし３」における蒸らし制御も、上記蒸らしタイマーにより設定された一定の蒸らし時間が経過すると（ステップS１０でYESになると）、「蒸らし３（炊飯制御）」を終了して、保温工程へ進む。
【０１１１】
以上のように、この発明の実施の形態では、内鍋１のみを使用した白米炊飯等の通常の炊飯と内鍋１に加えて調理容器１５を使用した同時調理炊飯とを本来の炊飯工程を利用して同時に行えるようにした電気炊飯において、本来の炊飯と調理容器１５を使用した調理を同時に行う場合には、蒸らし工程等炊飯工程に応じて炊飯のみの場合に比べて加熱量を大きくするようにしている。
【０１１２】
このような構成によれば、内鍋１を使用したご飯の炊飯に加えて、調理容器１５を使用した調理を同時に行う場合には、加熱量制御手段により制御される内鍋加熱手段の内鍋加熱量がご飯の炊飯のみを行う場合に比べて大きくなるように制御される。
【０１１３】
このため、炊飯のみを考慮した加熱量で調理容器１５内の調理物Xが加熱される場合に比べて、調理容器１５内の調理物にも十分な加熱量が付与されるようになり、加熱不足の無い良好な調理を行なえるようになる。
【０１１４】
また、加熱量を大きくする炊飯工程を、例えば蒸らし工程に設定すれば、蒸らし工程におけるご飯に対する加熱量不足が解消され、良好なむらし性能を確保することができるようになる。
【０１１５】
炊飯工程最後の蒸らし工程では、通常の炊飯時の場合、炊き上げ検知にいたるまでの加熱手段の加熱量が低減され、内鍋への加熱量自体が相当に小さくなる。したがって、この段階で、未だ調理容器内の調理物の調理が完了していないとすると、当該調理物への加熱量が不足し、適正な調理が不可能になる。
【０１１６】
また、炊飯のみの場合に比べて、調理物に加熱量を取られるので、ご飯に対する加熱量も不足し、良好なむらし性能を確保することができない。
【０１１７】
しかも、調理容器があるために、ご飯から出る蒸気を有効に内鍋外に排出することができず、ご飯への露付きや白ボケを生じる問題がある。
【０１１８】
このため、特に蒸らし工程で、上述のように加熱量を大きくすると、これらの問題を有効に解消することができ、ご飯と調理物のそれぞれを共に美味しく仕上げるのに有効となる。
【０１１９】
また、そのように加熱量を大きくすると、調理容器１５の存在にも拘わらず、蒸らし工程におけるご飯からの蒸気を有効に内鍋外に排出することができるようになり、ご飯への露付きや白ボケを回避することができる。
【０１２０】
さらに、この発明の実施の形態では、その場合において、炊飯工程と該炊飯工程に対応する加熱量が設定された炊飯制御シーケンスとして、内鍋１を使用してご飯のみの炊飯を行う通常の炊飯制御シーケンスとは別に、ご飯の炊飯と調理容器１５を使用した調理とを同時に行う同時調理用の炊飯制御シーケンスを設けて構成しており、該同時調理用の炊飯制御シーケンスでは、ご飯のみの炊飯を行う通常の炊飯制御シーケンスの場合に比べて炊飯工程における加熱量が大きく設定されている。
【０１２１】
したがって、このような構成によれば、同時調理メニュー選択用の入力スイッチを押せば、それだけで自動的に上記同時調理用の炊飯制御シーケンスにより内鍋を使用した炊飯と調理容器を使用した調理を同時に行う適切な加熱量の同時調理が実行され、所定の炊飯工程においては炊飯のみの場合よりも加熱量が大きくなるように自動制御される。
（他の実施例）
以上の説明では、同時調理炊飯時の蒸らし工程等における加熱量を大きくする手段として、例えば電力自体を大きくする方法を採用したが、これは、例えば加熱時間（蒸らし時間）を長くする方法、又はそれらの両者を組み合わせる方法などを採用することもできる。
【符号の説明】
【０１２２】
１は内鍋、２は内ケース、３は外ケース、４は底部材、５は肩部材、６は炊飯器本体、７は蓋体、１２は温度センサ、１５は調理容器、１６は蒸気センサ、１９a〜１９ｋは各種入力スイッチ、２０は制御ユニット、Xは調理物、C１は第１のIHコイル、C２は
第２のIHコイル、H1は側面ヒータ、H２は蓋ヒータである。
【図１】
0006447079.tif 000002
【図２】
0006447079.tif 000003
【図３】
0006447079.tif 000004
【図４】
0006447079.tif 000005
【図５】
0006447079.tif 000006
【図６】
0006447079.tif 000007
【図７】
0006447079.tif 000008
【図８】
0006447079.tif 000009